(57)【要約】      （修正有）【課題】ハンドル下部材に対して軟質材からなるカバー体で覆うことにより、バンパー効果のある軟質のハンドルを持った電気掃除機を提供する。【解決手段】本体の下部材を延出して形成した断面が略Ｕ字状のハンドル下部材３と、前記ハンドル下部材３の上面を覆うハンドル上部材１０と、ハンドル下部材３を覆う軟質材よりなるカバー体５とでハンドルを構成したもので、硬質な下部材で構成されるハンドルの外側を軟質材からなるカバー体５で覆うと共に上部材で挟持し、軟質なバンパー効果を持つ前方ハンドルを持つ電気掃除機を実現するものである。【選択図】図６
2007319449.tif 000002
【特許請求の範囲】
【請求項１】
本体前方に本体を立てて持ち運ぶハンドルを配置した電気掃除機において、本体の下部材を延出して形成した断面が略Ｕ字状のハンドル下部材と、前記ハンドル下部材の上面を覆うハンドル上部材と、ハンドル下部材を覆う軟質材よりなるカバー体とでハンドルを構成した電気掃除機。
【請求項２】
ハンドル上部材は、外部が軟質材、内部が硬質材より構成し、ハンドル下部材で覆うカバー体の両側面を挟持してなる請求項１記載の電気掃除機。
【請求項３】
ハンドル下部材の下面に貫通穴を配置し、カバー体と一体に形成したピン体を下部より前記貫通穴に挿入して位置を固定してなる請求項１記載の電気掃除機。
【請求項４】
ハンドル下部材の上方開放側の貫通穴の近傍にスリットを有するリブ体を設け、そのスリットにハンドル下部材の下面の貫通穴に挿入されたピン体を挟持してなる請求項３記載の電気掃除機。
【請求項５】
ハンドル下部材の上方開放側の貫通穴の近傍にスリットを有するリブ体に挟持したピン体をハンドル上部材の一部でさらに押さえてなる請求項４記載の電気掃除機。
【発明の詳細な説明】
【技術分野】
【０００１】
本発明は主として電気掃除機に関するものである。
【背景技術】
【０００２】
従来の電気掃除機を、図７を用いて説明する。図７は従来の電気掃除機のハンドル部の構成を示す断面図である。図に示す様に、ハンドル２１は、本体に設けたボス２３にビス２２により固定されており、把手部２４は軟質体のカバー２５で覆われている。また、外周に相当する部分にはバンパー２６が装着されている（例えば、特許文献１参照）。
【特許文献１】実開昭６２−１０８５３号公報
【発明の開示】
【発明が解決しようとする課題】
【０００３】
しかしながら、前記従来の構成では、ハンドルは本体と別体の構成となり、かつ、バンパーも別体となっているために構成が複雑で、組立性が良いものではなかった。また、構成を簡単にする為にハンドル部分を本体を構成する上部材と下部材を延出して一体に構成したものもあるが、この構成では、ハンドル部分は通常硬質材で形成される下部材と上部材で単に構成するために引き回しなどに対応したバンパー効果が得られないという課題があった。
【０００４】
本発明は上記課題を解決するもので、ハンドル下部材に対して軟質材からなるカバー体で覆うことにより、バンパー効果のある軟質のハンドルを持った電気掃除機を実現するものである。
【課題を解決するための手段】
【０００５】
上記従来の課題を解決するために本発明の電気掃除機は、本体の下部材を延出して形成した断面が略Ｕ字状のハンドル下部材と、前記ハンドル下部材の上面を覆うハンドル上部材と、ハンドル下部材を覆う軟質材よりなるカバー体とでハンドルを構成したもので、硬質な下部材で構成されるハンドルの外側を軟質材からなるカバー体で覆うと共に上部材で挟持し、軟質なバンパー効果を持つ前方ハンドルを持つ電気掃除機を実現するものである。
【発明の効果】
【０００６】
本発明は、硬質な下部材で構成されるハンドルの外側を軟質材からなるカバー体で覆うと共に上部材で挟持し、軟質なバンパー効果を持つ前方ハンドルを形成するもので、より柔らかく家具などを傷つけない電気掃除機を提供することができる。
【発明を実施するための最良の形態】
【０００７】
第１の発明は、本体前方に本体を立てて持ち運ぶハンドルを配置した電気掃除機において、本体の下部材を延出して形成した断面が略Ｕ字状のハンドル下部材と、前記ハンドル下部材の上面を覆うハンドル上部材と、ハンドル下部材を覆う軟質材よりなるカバー体とでハンドルを構成することによって、軟質なバンパー効果を持つ前方ハンドルを形成するもので、より柔らかく家具などを傷つけない電気掃除機を提供することができる。
【０００８】
第２の発明は、ハンドル上部材は、外部が軟質材、内部が硬質材より構成し、ハンドル下部材で覆うカバー体の両側面を挟持することにより、カバー体をよりしっかりとハンドルに固定でき、よりしっかりしたバンパー効果を持つ前方ハンドルを形成するもので、より柔らかく家具などを傷つけない電気掃除機を提供することができる。
【０００９】
第３の発明は、ハンドル下部材の下面に貫通穴を配置し、カバー体と一体に形成したピン体を下部より前記貫通穴に挿入して位置を固定したことにより、カバー体をよりしっかりとハンドルに固定でき、浮き上がりを防止し、よりしっかりしたバンパー効果を持つ前方ハンドルを形成するもので、より柔らかく家具などを傷つけない電気掃除機を提供することができる。
【００１０】
第４の発明は、ハンドル下部材の上方開放側の貫通穴の近傍にスリットを有するリブ体を設け、そのスリットにハンドル下部材の下面の貫通穴に挿入されたピン体を挟持することにより、カバー体をよりしっかりとハンドルに固定でき、浮き上がりを防止し、よりしっかりしたバンパー効果を持つ前方ハンドルを形成するもので、より柔らかく家具などを傷つけない電気掃除機を提供することができる。
【００１１】
第５の発明は、ハンドル下部材の上方開放側の貫通穴の近傍にスリットを有するリブ体に挟持したピン体をハンドル上部材の一部でさらに押さえることにより、カバー体をよりしっかりとハンドルに固定でき、浮き上がりを防止し、よりしっかりしたバンパー効果を持つ前方ハンドルを形成するもので、より柔らかく家具などを傷つけない電気掃除機を提供することができる。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１〜図４を用いて説明する。
【００１４】
図１は、本発明の第１の実施の形態である電気掃除機本体１（以下、本体と呼ぶ）の側面図である。また、図２（ａ）は本体１前方のハンドル２部分のハンドル下部材３の斜視図、（ｂ）はハンドル２の断面図、図３はハンドル２の要部拡大図である。
【００１５】
ハンドル２のハンドル下部材３は本体下４と一体に形成されている。そして、ハンドル下部材３の外側を軟質材からなるカバー体５で下方よりハンドル下部材３の下および両側面を一体に覆っている。ハンドル上部材１０は硬質材１２を軟質材１１で覆うように構成しており、カバー体５の端面をハンドル下部材３の上部に挟み込むように上方から押さえつける構成とし、ボス１２ａをビス１４によりハンドル下部材３にねじ止めすることで一体に固定している。
【００１６】
一方、ピン体６はカバー体５と一体に形成され、ハンドル２のハンドル下部材３の下面に設けた貫通穴７に合わせて配置されている。そして、貫通穴７にピン体６をセットするとカバー体５は位置決めされ、ずれることがなくなる。なお、本実施の形態ではピン体６を貫通穴７よりも細いものとして説明を行ったが、ピン体６はカバー体５と同じく軟質材であるので、貫通穴７に対して多少大きくても、圧入されればその保持力が強くなるのみで、本発明の趣旨から逸脱するものではない。
【００１７】
さらに、ハンドル下部材３の上面側の貫通穴７近傍にはスリット８を有するリブ体９が配置されている。図４はハンドル２の要部斜視図、図５は同要部断面図である。図に示す様に、ピン体６を折り曲げてスリット８に挟持されている。これによってピン体６は保持され、ズレがなくなり、ひいてはカバー体５の浮き上がりも阻止されるものである。
【００１８】
図６は硬質材１２を軟質材１１でカバーしたハンドル上部材１０をハンドル下部材に係止した状態での同要部断面図である。図に示す様に、ピン体６はさらにハンドル上部材１０の硬質材１２からなる押圧部１３で圧接され、スリット８からの抜け止めとなり、さらに強固にピン体６は保持され、ズレがなくなり、ひいてはカバー体５の浮き上がりも阻止されるものである。
【００１９】
このようにハンドル２はカバー体５で覆われ、軟質のバンパー体として機能するもので、家や家具に、もしくは取り扱う人にも優しい耐久性の高い掃除機が実現できるものである。
【００２０】
なお、以上説明した本発明の実施の形態はそれぞれ代表例として説明を行ったものであり、本実施の形態が本発明の請求の範囲を制限するものではない。
【産業上の利用可能性】
【００２１】
以上のように、本発明にかかる電気掃除機は、単独でも硬質なるハンドルとして機能する下部材と一体のハンドルに軟質材からなるカバー体を下方よりハンドル下部材の下および両側面を一体に覆うことによって、使用時にバンパーとして機能し、手で持つ時にやわらかく、違和感が無く、またズレなどによる破損の無い、耐久性の高い軟質性ハンドルをもつ電気掃除機の構成に極めて有用なものである。
【図面の簡単な説明】
【００２２】
【図１】本発明の実施の形態１を示す電気掃除機の側面図
【図２】（ａ）本発明の実施の形態１を示す電気掃除機のハンドル下部材の斜視図（ｂ）同ハンドル部分の要部断面図
【図３】本発明の実施の形態１を示す電気掃除機のハンドル要部斜視図
【図４】本発明の実施の形態２を示す電気掃除機のハンドル要部斜視図
【図５】本発明の実施の形態３を示す電気掃除機のハンドル要部断面図
【図６】本発明の実施の形態３を示す電気掃除機のハンドル要部断面図
【図７】従来の電気掃除機の要部断面図
【符号の説明】
【００２３】
１    電気掃除機本体
２    ハンドル
３    ハンドル下部材
４    本体下（本体の下部材）
５    カバー体
６    ピン体
７    貫通穴
８    スリット
９    リブ体
１０  ハンドル上部材
【図１】
2007319449.tif 000003
【図２】
2007319449.tif 000004
【図３】
2007319449.tif 000005
【図４】
2007319449.tif 000006
【図５】
2007319449.tif 000007
【図６】
2007319449.tif 000008
【図７】
2007319449.tif 000009